(57)【特許請求の範囲】
【請求項１】
食品洗浄路の食品取出口に一端側を差し込んで洗浄後の食品を取出すように配設される取出しコンベアであって、
搬送方向に向けて張設した左右の駆動チエン間に複数のステーが渡されて形成されたチエンコンベアと、前記チエンコンベアに掛け回す状態で両端が着脱自在に連結されてエンドレスベルトに形成された網状ベルトとを備え、
前記網状ベルトは、両端部が端部補強テープにより補強されると共に、両側縁部が側部補強テープにより補強され、
前記端部補強テープ及び側部補強テープは、テープ内縁から中央部分までの範囲において上下のテープ材の間に網状体の端部を挾んだ状態で網状体の網目を通して上下のテープ材同士を高周波溶着したテープ挟持部と、テープ中央部分から外縁までの範囲において上下のテープ材の間に介在テープ材を挟んだ状態で各テープ材を高周波溶着したテープ溶着部とが形成され、
前記側部補強テープのテープ溶着部上に形成した係止穴と、前記ステーの端部上面に突設した係止ピンとが着脱自在に連結されることでチエンコンベアに網状ベルトが取り付けられ、
前記係止ピンは軸部の上端に頭部が形成され、
前記係止穴は係止ピンの頭部を貫通させる穴径で形成された抜き穴部と、前記係止ピンの軸部を嵌合させる穴径で形成された嵌合穴と、前記係止ピンの軸部を窮屈に通過させる穴幅で前記抜き穴部と嵌合穴とを連通させる連通溝穴とで形成されていることを特徴とした食品洗浄装置の取出しコンベア。
【請求項２】
食品洗浄路の食品取出口に一端側を差し込んで洗浄後の食品を取出すように配設される取出しコンベアに用いられる網状ベルトであって、
この網状ベルトは、搬送方向に向けて張設した左右の駆動チエン間に複数のステーが渡されて形成されたチエンコンベアにエンドレスベルト状に掛け回すことができるように、両端が着脱自在に連結され、
かつ両端部が端部補強テープにより補強されると共に、両側縁部が側部補強テープにより補強され、
前記端部補強テープ及び側部補強テープは、テープ内縁から中央部分までの範囲において上下のテープ材の間に網状体の端部を挾んだ状態で網状体の網目を通して上下のテープ材同士を高周波溶着したテープ挟持部と、テープ中央部分から外縁までの範囲において上下のテープ材の間に介在テープ材を挟んだ状態で各テープ材を高周波溶着したテープ溶着部とが形成され、
前記側部補強テープのテープ溶着部上に形成した係止穴を、前記ステーの端部上面に突設した係止ピンに着脱自在に連結することでチエンコンベアに着脱可能に取り付けられ、
前記係止穴は、前記係止ピンの軸部の上端に形成した頭部を貫通させる穴径で形成された抜き穴部と、前記係止ピンの軸部を嵌合させる穴径で形成された嵌合穴と、前記係止ピンの軸部を窮屈に通過させる穴幅で前記抜き穴部と嵌合穴とを連通させる連通溝穴とで形成されていることを特徴とした食品洗浄装置の取出しコンベア用網状ベルト。
【請求項３】
請求項２記載の食品洗浄装置の取出しコンベア用網状ベルトにおいて、網状体が柔軟な紐材で編成された柔軟網状体で形成されている食品洗浄装置の取出しコンベア用網状ベルト。
【請求項４】
請求項２記載の食品洗浄装置の取出しコンベア用網状ベルトおいて、網状体が合成樹脂線材で編成された硬質網状体で形成されている食品洗浄装置の取出しコンベア用網状ベルト。
【発明の詳細な説明】
【０００１】
【産業上の利用分野】
本発明は、野菜や海藻、魚介類等の食品を殺菌、脱塩、洗浄するための食品洗浄装置に用いられる取出しコンベア及びこの取出しコンベアに用いられる網状ベルトに関する。
【０００２】
【従来の技術】
従来、食品洗浄装置の取出しコンベアは、洗浄路の取出し側に一端側を差し込んで取付けられ、洗浄後の食品を洗浄路から取出すようにしたもので、搬送方向に向けて張設されたチエンコンベア上に網状ベルトが掛け回された構造になっている。
この網状ベルトは、その両端がスナップボタンで着脱自在に連結されてエンドレスベルトに形成されると共に、両側縁部がチエンコンベアのステーにスナップボタンで着脱自在に連結されていた。
この場合、網状ベルトの両端部及び両側縁部はそれぞれ上下のテープ材によって網状体の端部を挟持した補強テープにより補強されていた。
【０００３】
【発明が解決しようとする課題】
しかしながら、従来の網状ベルトでは、上下のテープ材によって網状体の端部を挟持した上から縫糸により縫合することにより補強テープを網状体の端部に取り付けるようにしていた。
このように、補強テープを縫糸による縫合で網状体の端部に取り付けた場合、縫糸の切断による縫合の解れによって補強テープが網状体の端部から外れてしまうという問題がある。また、縫合によるため、上下のテープ材が完全に密着せず、上下のテープ材の間や縫い目の穴や縫合部に汚れや雑菌が侵入し、食品機械用としての衛生面で問題があった。
尚、補強テープを接着剤によって網状体の端部に取り付けることも考えられるが、この接着についても、接着の剥離によって補強テープが外れるおそれがあるし、その剥離部分に汚れや雑菌が侵入するという問題がある。
【０００４】
このような問題を解決するために、本願出願人において、網状ベルトの両端部及び両側縁部をそれぞれ補強テープにより補強しながらも、補強テープの外れをなくすと共に、汚れや雑菌の侵入をなくし、食品機械用として衛生的に使用できる食品洗浄装置の取出しコンベアを先行技術として既に特願２００１−１２４６７により提案している。
【０００５】
しかしながら、この先行技術においては、網状ベルトの両側縁部を補強する側部補強テープの下面に雌スナップボタンが取り付けられ、チエンコンベアに設けたステーの端部上面に雄スナップボタンが取り付けられ、この雌雄スナップボタンによって網状ベルトがチエンコンベアに着脱可能に取り付けられていた。
【０００６】
このように、雌雄スナップボタンによって網状ベルトをチエンコンベアのステーに取り付けるものでは、毎日の清掃に際し、その都度、雌雄スナップボタンを嵌めたり、外したりという指に力が要る作業を強いられ、その着脱作業に多大の労力を要し、また、着脱の繰り返しによってスナップボタンのカシメが緩み、外れの原因になるという問題があった。
又、側部補強テープにも雌スナップボタンを取り付けるため、部品点数が多くなるし、取付作業にも手間がかかる。
さらには、側部補強テープに取り付ける雌スナップボタンの取り付けピッチを、ステーに取り付けた雄スナップボタンの取り付けピッチに正確に一致させる必要があるし、側部補強テープが熱や殺菌材、経年変化等で伸縮変形することがあり、このような場合には、雌スナップボタンの取り付けピッチが雄スナップボタンの取り付けピッチに一致しにくくなり、スナップボタンが嵌め難くなったり、外れたりするという問題があった。
【０００７】
本発明は、上記のような問題を解決するためになされたもので、網状ベルトの両端部及び両側縁部をそれぞれ補強テープにより補強しながらも、補強テープの外れをなくすと共に、汚れや雑菌の侵入をなくし、食品機械用として衛生的に使用できるようにする。加えて、網状ベルトをチエンコンベアに取り付けるための構造を簡単にすると共に、指先に力を入れることなく簡単な手間で網状ベルトをチエンコンベアに取り付けることができるようにした食品洗浄装置の取出しコンベア及び取出しコンベア用網状ベルトを提供することを課題としている。
【０００８】
【課題を解決するための手段】
前記課題を解決するするために、本発明の食品洗浄装置の取出しコンベア（請求項１）は、
食品洗浄路の食品取出口に一端側を差し込んで洗浄後の食品を取出すように配設される取出しコンベアであって、
搬送方向に向けて張設した左右の駆動チエン間に複数のステーが渡されて形成されたチエンコンベアと、前記チエンコンベアに掛け回す状態で両端が着脱自在に連結されてエンドレスベルトに形成された網状ベルトとを備え、
前記網状ベルトは、両端部が端部補強テープにより補強されると共に、両側縁部が側部補強テープにより補強され、
前記端部補強テープ及び側部補強テープは、テープ内縁から中央部分までの範囲において上下のテープ材の間に網状体の端部を挾んだ状態で網状体の網目を通して上下のテープ材同士を高周波溶着したテープ挟持部と、テープ中央部分から外縁までの範囲において上下のテープ材の間に介在テープ材を挟んだ状態で各テープ材を高周波溶着したテープ溶着部とが形成され、
前記側部補強テープのテープ溶着部上に形成した係止穴と、前記ステーの端部上面に突設した係止ピンとが着脱自在に連結されることでチエンコンベアに網状ベルトが取り付けられ、
前記係止ピンは軸部の上端に頭部が形成され、
前記係止穴は係止ピンの頭部を貫通させる穴径で形成された抜き穴部と、前記係止ピンの軸部を嵌合させる穴径で形成された嵌合穴と、前記係止ピンの軸部を窮屈に通過させる穴幅で前記抜き穴部と嵌合穴とを連通させる連通溝穴とで形成されている構成とした。
【０００９】
また、本発明の食品洗浄装置の取出しコンベア用網状ベルト（請求項２）は、
食品洗浄路の食品取出口に一端側を差し込んで洗浄後の食品を取出すように配設される取出しコンベアに用いられる網状ベルトであって、
この網状ベルトは、搬送方向に向けて張設した左右の駆動チエン間に複数のステーが渡されて形成されたチエンコンベアにエンドレスベルト状に掛け回すことができるように、両端が着脱自在に連結され、
かつ両端部が端部補強テープにより補強されると共に、両側縁部が側部補強テープにより補強され、
前記端部補強テープ及び側部補強テープは、テープ内縁から中央部分までの範囲において上下のテープ材の間に網状体の端部を挾んだ状態で網状体の網目を通して上下のテープ材同士を高周波溶着したテープ挟持部と、テープ中央部分から外縁までの範囲において上下のテープ材の間に介在テープ材を挟んだ状態で各テープ材を高周波溶着したテープ溶着部とが形成され、
前記側部補強テープのテープ溶着部上に形成した係止穴を、前記ステーの端部上面に突設した係止ピンに着脱自在に連結することでチエンコンベアに着脱可能に取り付けられ、
前記係止穴は、前記係止ピンの軸部の上端に形成した頭部を貫通させる穴径で形成された抜き穴部と、前記係止ピンの軸部を嵌合させる穴径で形成された嵌合穴と、前記係止ピンの軸部を窮屈に通過させる穴幅で前記抜き穴部と嵌合穴とを連通させる連通溝穴とで形成されている構成とした。
【００１０】
前記取出しコンベア用網状ベルト（請求項２）において、網状体が柔軟な紐材で編成された柔軟網状体（請求項３）又は硬質網状体（請求項４）で形成されている態様がある。
【００１１】
【発明の実施の形態】
以下、本発明の実施の形態を図面に基づいて詳細に説明する。図１は実施の１形態であって、取出しコンベアに用いられる網状ベルトの一部を示す平面切欠図、図２は取出しコンベアを示す平面図、図３は図２のＡ−Ａ線による網状ベルトの一部を示す断面図、図４は取出しコンベアを装着した食品洗浄装置を示す説明側面図である。
【００１２】
取出しコンベア１は、図２及び図４に示すように、フレーム１０に搬送方向に向けて左右の駆動チエン１１，１１が張設されると共に、この駆動チエン１１，１１間に一定間隔で互のリンク同士を連結するステー１２が横架されたチエンコンベア１３と、このチエンコンベア１３上に掛け回された網状ベルト１４とで形成されている。尚、図中１５，１５はスプロケットホイルで、このスプロケットホイル１５，１５間に駆動チエン１１が張設されている。又、Ｍは電動モータである。
【００１３】
前記網状ベルト１４の網状体としては、柔軟な紐材で編成された柔軟網状体１４ａ（例えば漁網）が用いられており、その紐材が縦横に通って網目が搬送方向に対して方形になるように裁断されている。尚、網目の寸法は１ｍｍ〜２８ｍｍの範囲から適宜に選択する。
そして、この柔軟網状体１４ａの両端及び両側縁部は、かがり縫いをすることにより解れが防止されると共に補強され、その両端部は端部補強テープ１７により補強され、両側縁部は側部補強テープ１６により補強されている。
【００１４】
前記側部補強テープ１６は、図１及び図３に示すように、テープ材（ターポリン）を幅方向中央部で二つ折りしてその折り返し縁が外縁になるようにして取り付けられるもので、テープ内縁から中央部分までの範囲には、上下のテープ材１６１，１６２の間に柔軟網状体１４ａの端部を挾んだ状態で網目を通して上下のテープ材１６１，１６２同士を高周波溶着したテープ挟持部１６ａが形成されている。
また、テープ中央部分から外縁までの範囲には、上下のテープ材１６１，１６２の間に１枚又は複数枚の介在テープ材１６３を挟んだ状態で各テープ材１６１，１６２，１６３を高周波溶着したテープ溶着部１６ｂが形成されている。
【００１５】
尚、高周波溶着は、被溶着体同士をプレスした状態で、一般に４ＭＨｚ〜８０ＭＨｚの高周波エネルギーの電界作用によって被溶着体に電子や分子レベルでの電位的な運動を起こさせて内部から発熱させることにより被溶着体同士を溶着させる方式である。
この実施の形態では、柔軟網状体１４ａの端部を補強テープ１６の上下のテープ材１６１，１６２によってテープ内縁から中央部分までの範囲で挾むと共に、テープ中央部分から外縁までの範囲において上下のテープ材１６１，１６２間に介在テープ材１６３を挟持した状態で、これを下部電極（下定盤）上にセットする。このとき、下部電極上に約３ｍｍのスポンジゴムシートと約０．５ｍｍのシリコンゴムシート（絶縁シート）を順次敷き、この上にセットするのが作業能率の向上と上下のテープ材の間に網状体を確実に挟持した状態で上下のテープ材を密着状態に接合させる上で好ましい。
尚、スポンジゴムシートやシリコンゴムシートは、一方又は両方を使用しない場合もある。
そして、上部電極盤に取り付けた金型を下降して、下部電極上にセットした補強テープ１６をプレスすると同時に高周波を発振させて、テープ挟持部１６ａ及びテープ溶着部１６ｂを同時に高周波溶着させるようにしている。
【００１６】
このように、テープ挟持部１６ａにおいて上下のテープ材１６１，１６２を柔軟網状体１４ａの網目を通して高周波溶着させると、上下のテープ材１６１，１６２に間に柔軟網状体１４ａを確実に挟持した状態で上下のテープ材１６１，１６２を隙のない密着状態で接合させることができる。
したがって、網状ベルト１４の両側縁部を側部補強テープ１６により補強しながらも、側部補強テープ１６の外れがなく、又汚れや雑菌の侵入をなくし、食品機械用として衛生的に使用することができる。
【００１７】
又、前記取出しコンベア１では、テープ溶着部１６ｂが上下のテープ材１６１，１６２の間に介在テープ材１６３を挟持した状態で高周波溶着されている。
このように、テープ溶着部１６ｂにおいて介在テープ材１６３を挟持させると、テープ溶着部１６ｂが上下のテープ材１６１，１６２と介在テープ材１６３によって多層になり、テープ溶着部１６ｂの強度を向上させることができる。
【００１８】
又、端部補強テープ１７についても、図示省略したが、前記側部補強テープ１６と同様の高周波溶着を用いて形成した同様構造のテープ挟持部とテープ溶着部とが形成されている。
【００１９】
前記網状ベルト１４の一端には、端部補強テープ１７のテープ溶着部上においてスナップボタンの雌部１７ａが一定間隔で取付けられ、他端にもテープ溶着部上において前記雌部１７ａと対向する位置に雄部１７ｂが取付けられ、この雌部１７ａと雄部１７ｂとの着脱によって網状ベルト１４の両端が着脱自在に連結されてエンドレスベルトに形成される。
【００２０】
また、網状ベルト１４の両側縁部には、側部補強テープ１６のテープ溶着部１６ｂ上に係止穴１８が形成されている。
前記係止穴１８は、駆動チエン１１，１１間に渡したステー１２の取り付けピッチと同一ピッチで形成され、このステー１２の両端部に突設した係止ピン１９を前記係止穴１８に着脱させることによって、網状ベルト１４がチエンコンベア１３に着脱自在に取り付けられる。
【００２１】
前記係止ピン１９としては、軸部１９ａ（ネジ部）の上端に頭部１９ｂを設けたビスが用いられ、この係止ピン１９の軸部１９ａの先端部をステー１２の端部に上から貫通させてナット１９ｃにより締結することで、ステー１２の端部上面に突設して取り付けられている。
【００２２】
前記係止穴１８は前記係止ピン１９の頭部１９ｂを貫通させる穴径で形成された抜き穴部１８ａと、前記係止ピン１９の軸部１９ａを嵌合させる穴径で形成された嵌合穴１８ｂと、前記係止ピン１９の軸部１９ａを窮屈に通過させる穴幅で前記抜き穴部１８ａと嵌合穴１８ｂとを連通させる連通溝穴１８ｃとで形成されている。
この場合、抜き穴部１８ａの内径は、係止ピン１９の頭部１９ｂの外径よりやや（１ｍｍ程度）大きく形成され、又、嵌合穴１８ｂの内径は係止ピン１９の外径とほぼ同一に形成され、又、連通溝穴１８ｃの穴幅は、前記係止ピン１９の外径より僅かに（０．５〜１ｍｍ程度）小さく形成されている。なお、嵌合穴１８ｂの内径を連通溝穴１８ｃの穴幅と同一に形成してもよい。
又、前記連通溝穴１８ｃは、前記抜き穴部１８ａから網状ベルト１４の搬送方向（図１矢印Ｘ方向）の先方に向けて延長するように形成され、この連通溝穴１８ｃの先端に連通して嵌合穴１８ｂが形成されている。
【００２３】
従って、網状ベルト１４をチエンコンベア１３に取り付けるには、前記係止ピン１９を係止穴１８に係合させることになるが、この場合、係止ピン１９の頭部１９ｂを抜き穴部１８ａに下から嵌め込んで貫通させ、この状態で係止ピン１９を網状ベルト１４の搬送方向（図１矢印Ｘ方向）に移動させることで軸部１９ａを連通溝穴１８ｃ内を窮屈に通過させたのち嵌合穴部１８ｂに嵌合させる。
【００２４】
このように、係止ピン１９の頭部１９ｂを係止穴１８の抜き穴部１８ａに嵌め込んで、軸部１９ａを連通溝穴１８ｃ内に通過させるだけの簡単な手間で、係止ピン１９と係止穴１８を係合させることができるし、軸部１９ａを連通溝穴１８ｃ内に窮屈に通過させるため、係止ピン１９と係止穴１８との係合が簡単に外れることはない。
また、係止穴１８は、側部補強テープ１６に穴あけ加工しただけの簡単な構造であるし、部品も不要であり、更に、この係止穴１８は、強度を向上させるために、上下のテープ材１６１，１６２の間に介在テープ材１６３を挟んだ状態で各テープ材１６１，１６２，１６３を高周波溶着したテープ溶着部１６ｂに形成されているため、係止穴１８が変形したり、拡大したり、係止穴１８から破れたりするのを抑制することができる。
又、係止ピン１９の係合相手が係止穴１８であるため、経年変化や熱等によって係止穴１８のピッチに多少のズレが生じても、そのズレを吸収でき、係止ピン１９と係止穴１８との係合を保持することができる。
【００２５】
次に、図４により取出しコンベア１を装着した食品洗浄装置２を説明する。この食品洗浄装置２は、上面が開口して内部に洗浄水Ｗを貯水する貯水槽２０を有し、この貯水槽２０の一端側が食品Ｈの投入口２１とされ、他端側が食品取出口２２となっている。
そして、この食品取出口２２に前記取出しコンベア１が、その一端側を水面より下方に差し込むと共に他端側を上方に傾斜させた状態で装着されている。尚、図において、２３はオーバーフロー穴、２４は排水バルブ、２５は水道供給口、２６は逆流防止ネットである。
【００２６】
また、図中２７は食品の洗浄路で、この洗浄路２７の下方には戻り流路２８を形成するための隔離板２９が設けられている。又、３０はエア配送管で、食品取出口２２側に向けて傾斜させたノズル管３１が突設され、このノズル管３１の先端には隔離板２９に設けた穴から洗浄路２７に臨むように噴気口が形成されている。尚、３２はブロアで、エア配送管３０に接続している。又、３３はゴミ取り用ネットコンベアで、取出しコンベア１の手前で食品Ｈを強制的に潜行させ、浮きゴミ（特に虫、毛髪、ワラクズ、食品クズ）をオーバーフロー穴２３から排出させる。
【００２７】
この食品洗浄装置２では、投入口２１に投入した食品Ｈに対し、ノズル管３１から噴射するエアで気泡を集中的に浴びせながら洗浄し、この食品Ｈを食品取出口２２側へ送る。そして、途中、ゴミ取り用ネットコンベア３３で浮きゴミを分離した後、食品取出口２２に浮上させる。食品取出口２２に浮上した食品Ｈは取出しコンベア１ですくい上げられ、この取出しコンベア１上を搬送されて取り下ろされる。
【００２８】
尚、この実施の形態では、網状ベルト１４が柔軟な紐材で編成された柔軟網状体（漁網）１４ａで形成されているため、繰返し使用によっても折れや割れが生じることがなく、仮りに破損した場合でも簡単に交換ができる。
【００２９】
又、柔軟網状体１４ａで形成された網状ベルト１４は、ステー１２により下から支えられた状態でチエンコンベア１３に掛け回されるため、食品Ｈが載置すると、ステー１２，１２間においては食品Ｈの重量によって垂みを生じた状態になる。
従って、ステー１２，１２間では柔軟網状体１４ａが凹状に変形し、ここに食品Ｈを保持して搬送することができるため、食品Ｈが網状ベルト１４の表面を滑ることがなく、確実に食品Ｈを搬送することができる。
【００３０】
又、取出しコンベア１は、すくい上げた食品Ｈを網状ベルト１４で水切りしながら搬送することになるが、長時間の使用によって網状ベルト１４やチエンコンベア１３が油脂や粘着性のある食品汁、微細な食品クズ等によって汚損されてくる。
この場合、網状ベルト１４の一端を上方に引っ張るとスナップボタンの雌部１７ａと雄部１７ｂの係合が外れる。そして、網状ベルト１４を回転させながら両側縁部において、係止ピン１９を係止穴１８から外していくことにより、網状ベルト１４をチエンコンベア１３から完全に取外すことができる。
【００３１】
このようにして網状ベルト１４を取外した状態で裏表を清浄し、またチエンコンベア１３も全面解放された状態となるから、内部を隅々まで清浄することができる。尚、清浄終了後は、前記と逆の工程によって網状ベルト１４をチエンコンベア１３に取り付ける。
また、網状ベルト１４の両側縁部を係止ピン１９と係止穴１８によりチエンコンベア１３のステーに連結しているため、網状ベルト１４が使用中にズレたり、蛇行することがないし、張力をかけないでも確実に回転させることができる。
【００３２】
以上、本発明の実施例を説明してきたが、本発明の具体的な構成はこれに限定されるものではなく、発明の要旨を逸脱しない範囲の設計変更等があっても本発明に含まれる。
【００３３】
例えば、網状ベルトを合成樹脂線材で編成された硬質網状体で形成してもよい。ただ、柔軟網状体を用いると、実施の形態で述べたような利点があるし、価格的にも、安価に製造することができる。特に、漁網を用いると、価格的に安価に入手することができる。
【００３４】
又、取出しコンベアを装着させる洗浄装置の構成は任意であり、洗浄路に送り羽根を備えたものや、毛髪取りのロールブラシを備えたもの、熱湯や熱風を噴出するもの、ロールブラシで洗浄するもの等に適用することができる。
【００３５】
又、洗浄装置の貯水槽に洗浄水の循環路を設け、この循環路の途中にろ過装置を設け、このろ過装置によって洗浄水に含まれるゴミを除去して貯水槽に戻すようにしてもよい。
【００３６】
【発明の効果】
以上、説明してきたように本発明の取出しコンベア（請求項１）及び取出しコンベア用網状ベルト（請求項２）にあっては、端部補強テープ及び側部補強テープに高周波溶着によってテープ挟持部及びテープ溶着部とが形成されている。
テープ挟持部は上下のテープ材が網状体の網目を通して高周波溶着されているため、上下のテープ材間に網状体を確実に挟持した状態で上下のテープ材を隙のない密着状態で接合させることができる。
したがって、網状ベルトの両端及び両側縁部をそれぞれ補強テープにより補強しながらも、補強テープの外れがなく、又汚れや雑菌の侵入をなくし、食品機械用として衛生的に使用することができる。
【００３７】
又、テープ溶着部が上下のテープ材の間に介在テープ材を挟持した状態で高周波溶着されているため、テープ溶着部が上下のテープ材と介在テープ材によって多層になり、テープ溶着部の強度を向上させることができる。
【００３８】
又、網状ベルトの両端が着脱自在に連結されると共に、両側縁部がチエンコンベアのステーに着脱自在に連結されているため、取出しコンベアの清掃に際し、網状ベルトを簡単に取り外すことができる。又、網状ベルトの両側縁部をチエンコンベアに連結しているため、網状ベルトが使用中にズレたり、蛇行することがない。
【００３９】
特に、網状ベルトをチエンコンベアに取り付けるに際し、係止ピンの頭部を係止穴の抜き穴部に嵌め込んで、係止ピンの軸部を連通溝穴内に通過させるだけで、指先に力を入れることなく簡単な手間で、係止ピンと係止穴を係合させることができるし、係止ピンの軸部を連通溝穴内に窮屈に通過させるため、係止ピンと係止穴との係合が簡単に外れることはない。
また、係止穴は、側部補強テープに穴あけ加工しただけの簡単な構造であるし、部品も不要であり、更に、この係止穴は、上下のテープ材の間に介在テープ材を挟んだ状態で各テープ材を高周波溶着したテープ溶着部に形成されているため、係止穴が変形したり、拡大したり、係止穴から破れたりするのを抑制することができる。
又、係止ピンの係合相手が係止穴であるため、経年変化や熱等によって係止穴のピッチに多少のズレが生じても、そのズレを吸収でき、係止ピンと係止穴との係合を保持することができる。
【００４０】
又、網状ベルトを柔軟な紐材で編成された柔軟網状体で形成すると（請求項３）、繰返し使用によっても折れや割れが生じることがないし、交換も簡単にでき、価格的にも安価に製造することができる。又、食品の搬送に際し、ステー間では柔軟網状体が凹状に変形し、ここに食品を保持して搬送することができるため、食品が網状ベルトの表面を滑ることがなく、確実に搬送することができる。
【図面の簡単な説明】
【図１】実施の１形態であって、取出しコンベアに用いる網状ベルトの一部を示す平面切欠図である。
【図２】取出しコンベアを示す平面図である。
【図３】図２のＡ−Ａ線による網状ベルトの一部を示す断面図である。
【図４】取出しコンベアを装着した食品洗浄装置を示す説明側面図である。
【符号の説明】
１  取出しコンベア
１２  ステー
１３  チエンコンベア
１４  網状ベルト
１４ａ  柔軟網状体（網状体）
１６  側部補強テープ
１６ａ  テープ挟持部
１６ｂ  テープ溶着部
１６１  テープ材
１６２  テープ材
１６３  介在テープ材
１７  端部補強テープ
１８  係止穴
１８ａ  抜き穴部
１８ｂ  嵌合穴
１８ｃ  連通溝穴
１９  係止ピン
１９ａ  軸部
１９ｂ  頭部
２  食品洗浄装置
２２  食品取出口
２７  洗浄路
【図１】
0003579405.tif 000002
【図２】
0003579405.tif 000003
【図３】
0003579405.tif 000004
【図４】
0003579405.tif 000005